(57)【要約】【課題】十分な強度が得られ振動を抑制し得る縦型洗濯機を提供することを目的とする。【解決手段】筐体と、前記筐体内に弾性支持される水槽と、前記水槽内に回転自在に支持される洗濯槽と、前記洗濯槽を回転駆動する駆動手段と備え、前記筐体は、前面及び両側面を構成する略コ字状に形成された第１構成部品と、前記第１構成部品に固定され、前記筐体の背面を構成する第２構成部品とから構成され、前記第２構成部品は、上下方向に略円弧形状をなす凸状絞り部を複数条形成する。【選択図】図１
2019180564.tif 000002
【特許請求の範囲】
【請求項１】
筐体と、
前記筐体内に弾性支持される水槽と、
前記水槽内に回転自在に支持される洗濯槽と、
前記洗濯槽を回転駆動する駆動手段と備え、
前記筐体は、前面及び両側面を構成する略コ字状に形成された第１構成部品と、前記第１構成部品に固定され、前記筐体の背面を構成する第２構成部品とから構成され、
前記第２構成部品は、上下方向に略円弧形状をなす凸状絞り部を複数条形成した縦型洗濯機。
【請求項２】
前記凸状絞り部は、上方向に向かって凸となる略円弧形状に形成した請求項１に記載の縦型洗濯機。
【請求項３】
前記凸状絞り部は、下方向に向かって凸となる略円弧形状に形成した請求項１に記載の縦型洗濯機。
【請求項４】
前記第２構成部品には、前記第２構成部品を前記第１構成部品にねじ固定するためのねじ孔間に、前記ねじ孔を形成した面より第１構成部品側に突出する干渉面を形成した請求項１から３のいずれか１項に記載の縦型洗濯機。
【発明の詳細な説明】
【技術分野】
【０００１】
本発明は、縦型洗濯機の背面を構成する部品の構成に関するものである。
【背景技術】
【０００２】
従来、この種縦型洗濯機は、筐体内に水槽を揺動自在に配設し、水槽内に底部に回転翼を設けた洗濯槽を回転自在に配設し、水槽下方にモータや減速機構等を配設して、給水、洗い、すすぎ、脱水の各工程を行うよう構成している。
【０００３】
上記構成において、筐体の側板や裏板は金属製の材料で形成され、前面に形成される開口部は、デザイン性を考慮し、見栄えを良くするなどを目的として合成樹脂製のフロントパネルで塞がれる構造とすることが提案されている（例えば、特許文献１参照）。
【先行技術文献】
【特許文献】
【０００４】
【特許文献１】特開２００８−２７２１９６号公報
【発明の概要】
【発明が解決しようとする課題】
【０００５】
しかしながら、前記従来の構成では、フロントパネルを合成樹脂製にしているので、強度が不足し、振動が生じる虞がある。
【０００６】
そこで、筐体の強度を増大させるために、フロントパネルを金属製にすることが考えられる。
【０００７】
しかしながら、近年は、より多くの洗濯物を洗濯できるよう、洗濯容量の大容量化が進み、単に筐体全体に金属材料を用いただけでは、十分な強度を得るためには不十分となる虞があった。
【０００８】
本発明は、上記従来の課題を解決するもので、十分な強度が得られ、振動を抑制し得る縦型洗濯機を提供することを目的とする。
【課題を解決するための手段】
【０００９】
前記目的を達成するために、本発明の縦型洗濯機は、筐体と、前記筐体内に弾性支持される水槽と、前記水槽内に回転自在に支持される洗濯槽と、前記洗濯槽を回転駆動する駆動手段と備え、前記筐体は、前面及び両側面を構成する略コ字状に形成された第１構成部品と、前記第１構成部品に固定され、前記筐体の背面を構成する第２構成部品とから構成され、前記第２構成部品は、上下方向に略円弧形状をなす凸状絞り部を複数条形成したものである。
【００１０】
これにより、第２構成部品の強度を向上できるとともに、振動の発生を抑制することができる。
【発明の効果】
【００１１】
本発明は上記目的を達成するために、洗濯機背面を構成する第２構成部品の剛性を向上でき、洗濯機の振動を低減することができる。
【図面の簡単な説明】
【００１２】
【図１】本発明の実施の形態１における縦型洗濯機の裏蓋を外した状態を背面側から見た斜視図
【図２】同洗濯機の断面図
【図３】同洗濯機の第２構成部品の平面図
【図４】同洗濯機の第１構成部品と第２構成部品の要部断面図
【図５】同洗濯機の他の第２構成部品の平面図
【発明を実施するための形態】
【００１３】
第１の発明は、筐体と、前記筐体内に弾性支持される水槽と、前記水槽内に回転自在に支持される洗濯槽と、前記洗濯槽を回転駆動する駆動手段と備え、前記筐体は、前面及び両側面を構成する略コ字状に形成された第１構成部品と、前記第１構成部品に固定され、前記筐体の背面を構成する第２構成部品とから構成され、前記第２構成部品は、上下方向に略円弧形状をなす凸状絞り部を複数条形成したものである。
【００１４】
これにより、第２構成部品の強度を向上できるとともに、振動の発生を抑制することができる。
【００１５】
第２の発明は、特に、第１の発明の前記凸状絞り部は、上方向に向かって凸となる略円弧形状に形成したものである。
【００１６】
これにより、高速動作時の振動により発生する応力を縦型洗濯機上部へ集中させることができ、応力集中する位置が最も重心から遠ざかるため、応力集中による第２構成部品の変形を抑制することができる。
【００１７】
第３の発明は、特に、第１の発明の前記凸状絞り部は、下方向に向かって凸となる略円弧形状に形成したものである。
【００１８】
これにより、重心のある下部に凸状絞り部が多くなり、下部が強度の高い形状となるため、低速回転時に発生する振幅の大きい振動に対して、振動を低減することができる。
【００１９】
第４の発明は、特に、第１から第３の発明の前記第２構成部品には、前記第２構成部品を前記第１構成部品にねじ固定するためのねじ孔間に、前記ねじ孔を形成した面より第１構成部品側に突出する干渉面を形成したものである。
【００２０】
これにより、第２構成部品を第１構成部品にねじ固定する際に、干渉面が第１構成部品に圧接し、第１構成部品と第２構成部品との間の隙間の発生を抑制し、ビビリ音の発生を抑制する。
【００２１】
以下、本発明の実施の形態について、図面を参照しながら説明する。なお、この実施の形態によって本発明が限定されるものではない。
【００２２】
（実施の形態１）
図１は，本発明の実施の形態１における縦型洗濯機の裏蓋を外した状態を背面側から見た斜視図である。図２は、同縦型洗濯機の断面図である。
【００２３】
図１及び図２において、筐体１は、前面及び両側面を構成する略コ字状に形成された金属材料製の第１構成部品２と、第１構成部品２にねじ固定され、筐体１の背面を構成する金属材料製の第２構成部品３とを備えている。第１構成部品２には、背面側に開口４が形成され、開口４を第２構成部品３により開閉可能に閉塞している。第２構成部品３を取り外すことにより、開口４から筐体１内部を臨むことができる。
【００２４】
本実施の形態では、筐体１の背面側に開口４を形成しているので、開口４を介して筐体１内部をメンテナンスできる位置まで筐体１を回動させ、筐体１内部のメンテナンスを行なう。第２構成部品３は、背面に配置することにより、洗濯機の設置時に、使用者の視界に入ることがなく、美観を損なうことがない。
【００２５】
筐体１の上方には、上部ケース５が装着される。筐体１及び上部ケース５により囲まれる空間には、有底円筒状の水槽６がサスペンション７により弾性支持され、水槽６の中心軸には、回転軸８が配設されている。水槽６内には、回転軸８に連結される洗濯槽９が内装され、洗濯槽９底部には、回転軸８に連結されるパルセータ１０が配設されている。水槽６の下方には、モータ１１が配設され、モータ１１に回転軸８が連結され、モータ１１により洗濯槽９とパルセータ１０が回転駆動される。
【００２６】
水槽６の上面には、洗濯槽９内に洗濯物を投入するための投入口１２が形成され、投入口１２は、蓋体１３により開閉自在に閉塞される。上部ケース５には、洗濯槽９内に洗濯物を投入するための外投入口１４が形成され、外投入口１４は、外蓋１５により開閉自在に閉塞される。
【００２７】
図３は、本発明の実施の形態における第２構成部品の平面図、図４は、同洗濯機の第１構成部品と第２構成部品の要部断面図である。
【００２８】
第２構成部品３は、金属板をプレス加工することにより形成され、図３に示すように、プレス加工により、上下方向に略円弧形状をなす凸状絞り部１６を複数条形成している。凸状絞り部１６は、筐体１の裏面側に凸となり、中央部分が上方に向かって凸となる円弧状に形成され、両端部分から中央部分になるに従って幅広になるように構成される。
【００２９】
第２構成部品３は、左右３か所をねじ固定することで第１構成部品２に固定される。第２構成部品３の左右には、中央位置のねじ孔１７と下方位置のねじ孔１８との間に、ねじ孔１７、１８を形成した当接面２０より第１構成部品２側に向かって突出する干渉面２１を形成している。
【００３０】
ねじ孔１７とねじ孔１８との間では、第１構成部品２と第２構成部品３との間に隙間が生じ、振動によってビビリ音が発生し得る。本実施の形態では、ねじ孔１７とねじ孔１８との間に当接面２０より第１構成部品２側に突出する干渉面２１を設けている。第２構成部品３の右側においては、干渉面２１の間に当接面２０を形成している。第２構成部品３を第１構成部品２にねじ固定する際に、干渉面２１が第１構成部品２に圧接する構成として、第１構成部品２と第２構成部品３との間の隙間の発生を抑制し、ビビリ音の発生を抑制する構成としている。
【００３１】
本実施の形態では、干渉面２１は、中央位置のねじ孔１７と下方位置のねじ孔１８との間に形成したが、上方位置のねじ孔１９と中央位置のねじ孔１７との間にも形成してもよい。
【００３２】
第２構成部品３は、凸状絞り部１６を形成することにより、強度が向上する。また、凸状絞り部１６は、中央部分が上方に向かって凸となる円弧状に形成しているので、第２構成部品３の共振振動数を、洗濯槽９の回転による共振振動数から変更することが可能となる。
【００３３】
また、高速動作時の振動により発生する応力を縦型洗濯機上部へ集中させることができ、応力集中する位置が最も重心から遠ざかるため、応力集中による第２構成部品の変形を
抑制することができる。
【００３４】
本実施の形態では、凸状絞り部１６は、中央部分が上方に向かって凸となる円弧状に形成したが、図５に示すように、中央部分が下方に向かって凸となる円弧状に形成してもよい。
【００３５】
これにより、重心のある下部に凸状絞り部が多くなり、下部が強度の高い形状となるため、低速回転時に発生する振幅の大きい振動に対して、振動を低減することができる。
【産業上の利用可能性】
【００３６】
以上のように、本発明にかかる縦型洗濯機の筐体を構成する第２構成部品は、凸状絞り部により振動を低減する。そのため、縦型洗濯機のみならず、洗濯乾燥機や、洗濯機と同様に回転体により振動が発生するフードプロセッサー等の製品にも有用である。
【符号の説明】
【００３７】
１  筐体
２  第１構成部品
３  第２構成部品
４  開口
５  上部ケース
６  水槽
７  サスペンション
８  回転軸
９  洗濯槽
１７  ねじ孔
１８  ねじ孔
１９  ねじ孔
２０  当接面
２１  干渉面
【図１】
2019180564.tif 000003
【図２】
2019180564.tif 000004
【図３】
2019180564.tif 000005
【図４】
2019180564.tif 000006
【図５】
2019180564.tif 000007